(57)【要約】【課題】  コンピュータ機器を域外通信網システムへ自動的に相互接続させるＶＰＮネットワークカードを提供する。【解決手段】  ＶＰＮアクセラレータカードは、コンピュータ機器７の特定のインタフェースコネクタスロットを接続するインタフェースコネクタ１と、信号及びデータを変換し、この種の信号及びデータをインタフェースコネクタ１を介するコンピュータ機器７への伝送に適合させるようにするインタフェースコントローラ２と、ＶＰＮアクセラレータカードを特定の構内通信網システムへ相互接続させた後に、ＶＰＮアクセラレータカードへ接続されたコンピュータ機器を特定の通信網システムのＶＰＮサーバへ自動的に導くＶＰＮアクセラレータ３と、構内通信網システム８を自動的に検索し、ＶＰＮアクセラレータカードを構内通信網システム８へ相互接続させる構内通信網コントローラ４とを備える。【選択図】  図１
2005318367.tif 000002
【特許請求の範囲】
【請求項１】
ＶＰＮアクセラレータカードであって、
コンピュータ機器の特定のコネクタスロットを接続するインタフェースコネクタと、
信号及びデータを変換するインタフェースコントローラであって、この種の信号及びデータを前記インタフェースコネクタを介する前記コンピュータ機器への伝送に適合させるようにするインタフェースコントローラと、
ＶＰＮアクセラレータであって、前記ＶＰＮアクセラレータカードを特定の構内通信網システムへ相互接続させた後に前記コンピュータ機器を特定の通信網システムのＶＰＮサーバへ自動的に導くＶＰＮアクセラレータと、
構内通信網システムを自動的に検索し、前記ＶＰＮアクセラレータカードを前記構内通信網システムへ相互接続させる構内通信網コントローラと、
を備えることを特徴とするＶＰＮアクセラレータカード。
【請求項２】
電源から電力を得る電源コントローラをさらに備えることを特徴とする請求項１記載のＶＰＮアクセラレータカード。
【請求項３】
前記ＶＰＮアクセラレータカードが必要とするデータを一時的に記憶するメモリをさらに備えることを特徴とする請求項１記載のＶＰＮアクセラレータカード。
【請求項４】
前記構内通信網コントローラは、構内通信網システムを自動的に検索して前記構内通信網システムと相互接続するとともに前記構内通信網システムとの間でデータ及び信号を送受信するデータ送受信器を有することを特徴とする請求項１記載のＶＰＮアクセラレータカード。
【発明の詳細な説明】
【技術分野】
【０００１】
本発明は、ＶＰＮアクセラレータカードに係り、特にＶＰＮアクセラレータを一体化し、パーソナルコンピュータやノートブック型コンピュータがＶＰＮアクセラレータカードを介して公衆網や構内通信網システムへアクセスできるようにしたインタフェースカードに関する。
【背景技術】
【０００２】
インターネットが万人の日常生活の必要ツールになったため、パーソナルコンピュータやノートブック型コンピュータをインターネットへアクセスさせるあらゆる種類の製品が開発されてきた。ネットワーク通信チップセットと共に埋設されたこれらの外に、大半のコンピュータ機器はインターネットへのアクセスにネットワークカードか無線ネットワークカードの使用が必要である。ネットワークカードには、有線か無線かを問わず、通信インタフェースコネクタやネットワーク通信コントローラＩＣやネットワークケーブルコネクタや無線受信器が備わっている。ネットワークカードは、パーソナルコンピュータやノートブック型コンピュータの特定のインタフェースコネクタスロットへ挿入され、構内通信網システムを介してパーソナルコンピュータやノートブック型コンピュータをインターネットや他の通信ネットワークへ相互接続させる。
【０００３】
この種のネットワーク通信カード或いは無線通信カードは、コンピュータ機器の特定のインターネットコネクタスロットへ挿入し、コンピュータ機器を構内通信網システムのハブへ相互接続させ、続いてモデムを用いて公衆網システムやインターネットへ相互接続させる必要がある。この種の構造下では、各コンピュータ機器やネットワーク通信カードは構内通信網システムのＶＰＮ（仮想私設網）サーバへ相互接続させる必要がある。ＶＰＮサーバは公衆網システムやインターネット内で任意のデータへのアクセスを許可される前に、コンピュータ機器やネットワーク通信カードの個体情報を認証する。
【０００４】
ここ数年間、ローミング技術に驚異的な進展があった。現在のローミング技術の下では、パーソナルコンピュータやノートブック型コンピュータはその域内通信網システムを介してインターネットへアクセスするのにその域内通信網へ相互接続させる必要がない。パーソナルコンピュータやノートブック型コンピュータは、域外通信網システムが帰属する構内通信網システムへ相互接続するのに域外通信網システムの一つのノードへアクセスすることができる。パーソナルコンピュータやノートブック型コンピュータの個体情報の認証は、域外構内通信網システムのＶＰＮサーバにより実行される。一旦個体情報が認証されると、パーソナルコンピュータやノートブック型コンピュータは域外構内通信網システムを介するインターネットへのアクセスを許可される。
【０００５】
上記の従来技術は、域外通信網システムにそれ自体登録されていなかったコンピュータ機器に対するローミングサービスの便宜を提供するものである。しかしながら、認証は域外構内通信網システムによっては与えられない。通信網システムへアクセスするコンピュータ機器の要求を受けると、域外通信網システムはコンピュータ機器をその域内通信網システムへ導く。ＶＰＮサーバはコンピュータ機器の個体情報を認証し、コンピュータ機器にインターネットや他の公衆網システムへのアクセスを許可する。
【０００６】
それでも、認証と許可がなされる前に、域外通信網システムは要求を発したコンピュータ機器へ暫定的なＩＰアドレスを与え、そのコンピュータ機器が域外通信網システムへ相互接続できるようにする。ローミングサービス期間中、コンピュータ機器はその相互接続を時々異なる域外通信網システムへシフトさせる。各域外通信網システムは、その相互接続動作時にコンピュータ機器へ一つの新たなＩＰアドレスを認証することになる。その結果、認証と認可が時々繰り返される。このため、有効なローミングサービスは不可能である。
【発明の開示】
【発明が解決しようとする課題】
【０００７】
本発明の目的は、コンピュータ機器を域外通信網システムへ自動的に相互接続させるＶＰＮアクセラレータカードを提供することにある。
本発明の別の目的は、コンピュータ機器のローミングサービスを容易にするＶＰＮネットワークカードを提供することにある。
【０００８】
本発明の別の目的は、コンピュータ機器の暗号化サーフィンを容易にするＶＰＮネットワークカードを提供することにある。
【課題を解決するための手段】
【０００９】
本発明によれば、ＶＰＮアクセラレータカードが提供される。本発明のＶＰＮアクセラレータカードは、コンピュータ機器の特定のインタフェースコネクタスロットを接続するインタフェースコネクタと、信号及びデータを変換するインタフェースコントローラであって、この種の信号及びデータを前記インタフェースコネクタを介する前記コンピュータ機器への伝送に適合させるようにするインタフェースコントローラと、前記ＶＰＮアクセラレータカードを特定の構内通信網システムへ相互接続させた後に、前記ＶＰＮアクセラレータカードへ接続されたコンピュータ機器を特定の通信網システムのＶＰＮサーバへ自動的に導くＶＰＮアクセラレータと、構内通信網システムを自動的に検索し、前記ＶＰＮアクセラレータカードを前記構内通信網システムへ相互接続させる構内通信網コントローラとを備える。
【００１０】
本発明のこれら及び他の目的及び利点は、以下の図面を参照した詳細な説明内で詳しく説明することができる。
【発明を実施するための最良の形態】
【００１１】
図１は、本発明の一実施例によるＶＰＮアクセラレータカードの系統線を示す。本図に示す如く、本実施例のＶＰＮアクセラレータカードは、コンピュータ機器７の特定のインタフェースコネクタスロットへ接続するインタフェースコネクタ１と、信号及びデータを変換するインタフェースコントローラ２であって、この種の信号及びデータをインタフェースコネクタ１を介する前記コンピュータ機器７への伝送に適合させるようにするインタフェースコントローラと、前記ＶＰＮアクセラレータカードを特定の構内通信網システムへ相互接続させた後に、前記ＶＰＮアクセラレータカードへ接続されたコンピュータ機器を特定の通信網システムのＶＰＮサーバへ自動的に導くＶＰＮアクセラレータと、構内通信網システム８を自動的に検索し、前記ＶＰＮアクセラレータカードを前記構内通信網システム８へ相互接続させる構内通信網コントローラ４とを備える。ＶＰＮアクセラレータカードはさらに、コンピュータ機器７や他の電源等の電源（図示せず）から電力を得る電源コントローラ５と、ＶＰＮアクセラレータカードが必要とするデータを暫定的に記憶するメモリ６とを備えることができる。
【００１２】
本実施例では、インタフェースコネクタ１は特定のインタフェースプロトコルに対応し、コンピュータ機器７の特定のコネクタスロットへ信号接続状態で挿入することのできる任意のコネクタとすることができる。適合するインタフェースプロトコルには、エクスプレスカードやカードバスやＰＣＭＣＩＡやＰＳ２や他の既存の或いは将来のインタフェース規格が含まれる。かくして、インタフェースコントローラ２にはＶＰＮアクセラレータカードが生成した信号及びデータ或いはコンピュータ機器７から得られる信号及びデータを変換してＶＰＮアクセラレータカードとコンピュータ機器７との間の通信を容易にする変換ロジックが設けられる。加えて、構内通信網コントローラ４には構内通信網システム８を自動的に検索し、構内通信網システム８と相互接続させ、構内通信網システム８との間でデータ及び信号を送受信するデータ送受信器を含めることができる。インタフェースコントローラ２と構内通信網コントローラ４は、任意の市販製品或いは任意の既知の回路或いはソフトウェアとすることができる。それらは従来技術に帰属するので、ここでは詳細な説明は省略する。
【００１３】
本実施例に使用するＶＰＮアクセラレータ３は、ＶＰＮアクセラレータカードを相互接続させることのできる任意の構内通信網システムを介してコンピュータ機器７を特定の通信網システムのＶＰＮサーバへ導くのに役立つ。図２は、本実施例のＶＰＮアクセラレータカードのＶＰＮアクセラレータと特定のＶＰＮサーバとの間の接続フローチャートを示す。
【００１４】
この図に示す如く、ＶＰＮアクセラレータカードをコンピュータ機器７のコネクタスロットへ挿入すると、ステップ２１０において、電源コントローラ５はコンピュータ機器７から電力を得てＶＰＮアクセラレータカードの動作を初期化する。ステップ２０２において、構内通信網コントローラ４が構内通信網システム８を検出する。ステップ２０３において、ＶＰＮアクセラレータ３がＶＰＮアクセラレータカードを構内通信網システム８へ相互接続させ、適用可能な通信プロトコルに従って構内通信網システム８から暫定的ＩＰアドレスを取得する。ステップ２０４において、ＶＰＮアクセラレータ４はその域内通信網システムのＶＰＮサーバのアドレスを構内通信網システム８へ供給し、ＶＰＮアクセラレータカードをその域内通信網システムのＶＰＮサーバへ相互接続させる要求をする。ステップ２０５において、構内通信網システム８は域内通信網システムのＶＰＮサーバへ相互接続され、域内通信網システムへＶＰＮアクセラレータカードのＩＰアドレスを供給する。ステップ２０６において、域内通信網システムのＶＰＮサーバがＶＰＮアクセラレータカードを認証し、かかる認証の結果を構内通信網システム８へ通知する。ステップ２０７において、構内通信網システム８の認証過程は完了し、コンピュータ機器７はローカル通信通信網８とそのＶＰＮサーバを介してインターネットへアクセスできるようになる。
【００１５】
ステップ２０８において、ＶＰＮアクセラレータカードは別の構内通信網システムの可到達域へシフトし、構内通信網コントローラ４は新たな構内通信網システムを検出する。ステップ２０９において、ＶＰＮアクセラレータ３は新たな構内通信網システムに先の認証情報を供給する。ステップ２１０において、新たな構内通信網システムがその通信網システムのＶＰＮサーバに認証情報を供給し、ＶＰＮサーバが適用可能通信プロトコルに従ってＶＰＮアクセラレータカードを認証する。ステップ２１１において、ＶＰＮサーバーによるＩＰ認証が完了し、その結果が新規な構内通信網システムへ供給される。この認証はかくして完了し、ＶＰＮアクセラレータカードは新規な構内通信網システムを介してインターネットへアクセスできるようになり、ＶＰＮサーバとなる。
【００１６】
ＶＰＮアクセラレータカードが別の新規な構内通信網システムの可到達域へ進入すると、ステップ２０８乃至２１１が繰り返される。コンピュータ機器のインターネットとの相互接続は、連続的になされる。
上記の如く、ＶＰＮアクセラレータカードは、通信インタフェース技術とＶＰＮアクセラレータ技術を統合して有益なＶＰＮアクセラレータカードを生成する。現行の移動体通信網技術の暗号化機能もまた、備えることができる。ＶＰＮアクセラレータカードはコンピュータ機器に対し便利な可搬性を提供し、ユーザは構内通信網システムが到達可能な任意の場所でインターネットへアクセスできるようになる。
【００１７】
本発明をその好適な実施例を参照して説明してきたが、当業者には本発明の趣旨及び範囲から逸脱することなく上記及び他の変形が可能であることは理解されよう。
【図面の簡単な説明】
【００１８】
【図１】本発明の一実施例によるＶＰＮアクセラレータカードの系統図である。
【図２】本発明の一実施例によるＶＰＮアクセラレータカードのＶＰＮアクセラレータと特定ＶＰＮサーバとの間の接続のフローチャートである。
【符号の説明】
【００１９】
１  インタフェースコネクタ、２  インタフェースコントローラ、３  ＶＰＮアクセラレータ、４  構内通信網コントローラ、５  電源コントローラ、６  メモリ、７  コンピュータ機器、８  構内通信網システム
【図１】
2005318367.tif 000003
【図２】
2005318367.tif 000004